(57)【要約】【課題】単に被検者の頭部の位置を固定できるだけでなく、被検者の上体を正しい方向に位置決めできるＸ線撮影装置を提供する。【解決手段】  Ｘ線撮影装置１０を、頭部保持手段２８と、頭部保持手段２８に被検者の頭部が保持された上体で被検者の胸部に当たることにより、被検者の上体の位置決めを行う胸部位置決め機構１００とで構成することにより、上記課題を解決できる。【選択図】図２
2018007921.tif 000002
【特許請求の範囲】
【請求項１】
頭部保持手段を有するＸ線撮影装置において、
前記頭部保持手段に被検者の頭部が保持された状態で前記被検者の胸部に当たることにより、前記被検者の上体の位置決めを行う胸部位置決め機構をさらに有する
Ｘ線撮影装置。
【請求項２】
前記胸部位置決め機構は、
前記被検者に向けて延びる一対の胸部位置決め部を有していることを特徴とする
請求項１に記載のＸ線撮影装置。
【請求項３】
撮影の際に前記被検者が把持するグリップをさらに有しており、
前記胸部位置決め部は、前記グリップと一体に形成されていることを特徴とする
請求項２に記載のＸ線撮影装置。
【請求項４】
前記胸部位置決め部の先端部は角部のない形状になっていることを特徴とする
請求項２または３に記載のＸ線撮影装置。
【発明の詳細な説明】
【技術分野】
【０００１】
本発明は、例えば歯科や耳鼻科で使用されるＸ線撮影装置に関する。
【背景技術】
【０００２】
例えば歯科や耳鼻科で使用されるＸ線撮影装置には、ブレが少なく診断しやすいＸ線画像を得るために被検者の頭部を正しい位置で保持する頭部保持手段が設けられている。
【０００３】
特許文献１に開示された医科歯科用Ｘ線撮影装置にもそのような頭部保持手段が設けられている。この頭部保持手段を構成する一対の側頭押さえ部によって被検者の頭部を挟むことができるようになっている。これにより、被検者の頭部の位置を固定することができる。
【先行技術文献】
【特許文献】
【０００４】
【特許文献１】特開２００８−９２９９０号公報
【発明の概要】
【発明が解決しようとする課題】
【０００５】
しかしながら、特許文献１に開示された医科歯科用Ｘ線撮影装置では単に被検者の頭部の位置を固定するだけであることから、万一、被検者の上体が正しい方向に対してずれてしまっている場合、いくら頭部の位置を固定したとしても頭部を正確な位置に固定できなかったり、あるいは、正確な位置に固定しても簡単にずれたりするおそれがあった。
【０００６】
本発明は、このような従来技術の問題点に鑑みて開発されたものである。それゆえに本発明の主たる課題は、単に被検者の頭部の位置を固定できるだけでなく、被検者の上体を正しい方向に位置決めできるＸ線撮影装置を提供することにある。
【課題を解決するための手段】
【０００７】
本発明のＸ線撮影装置は、頭部保持手段を有しており、前記頭部保持手段に被検者の頭部が保持された状態で前記被検者の胸部に当たることにより、前記被検者の上体の位置決めを行う胸部位置決め機構をさらに有している。
【０００８】
また、前記胸部位置決め機構は、前記被検者に向けて延びる一対の胸部位置決め部を有していることが好ましい。
【０００９】
さらに、撮影の際に前記被検者が把持するグリップをさらに有しており、前記胸部位置決め部は、前記グリップと一体に形成されていることが好ましい。
【００１０】
また、前記胸部位置決め部の先端部は角部のない形状になっていることが好ましい。
【発明の効果】
【００１１】
本発明のＸ線撮影装置によれば、頭部保持手段によって被検者の頭部位置を保持できるだけでなく、胸部位置決め機構によって被検者の上体を正しい方向に位置決めできるＸ線撮影装置を提供することができる。
【図面の簡単な説明】
【００１２】
【図１】本発明が適用された胸部位置決め機構１００を有するＸ線撮影装置１０を示す斜視図である。
【図２】胸部位置決め機構１００を有する被検者保持部２２を示す斜視図である。
【図３】被検者保持部２２を示す右側面図である。
【図４】被検者保持部２２を示す平面図である。
【図５】被検者をＸ線撮影する際の右側面図である。
【図６】被検者をＸ線撮影する際の平面図である。
【発明を実施するための形態】
【００１３】
（Ｘ線撮影装置１０の構成）
以下では、本発明が適用された胸部位置決め機構１００について説明するが、それに先だって、胸部位置決め機構１００を有するＸ線撮影装置１０の実施例について図面を用いて説明する。
【００１４】
図１は、胸部位置決め機構１００が使用された歯科用のＣＴ撮影を行うＸ線撮影装置１０を示す斜視図である。本明細書では、ＣＴ撮影を行うＸ線撮影装置１０を例にして説明するが、もちろん、胸部位置決め機構１００はパノラマ撮影や耳鼻科用一般撮影などにも使用することができる。
【００１５】
このＸ線撮影装置１０は、大略、床に載置されるベース１２と、ベース１２の隅部から鉛直方向に立設された支柱１３と、この支柱１３に沿って上下動する昇降本体１４と、昇降本体１４の上端部から水平方向に延びるようにして設けられた保持フレーム１６と、保持フレーム１６における昇降本体１４側とは反対側の端部下面から吊り下げられた旋回アーム１８と、昇降本体１４の高さ方向における中ほどから保持フレーム１６と略平行に延びるようにして設けられた被検者フレーム２０と、被検者フレーム２０における昇降本体１４側とは反対側の端に設けられた被検者保持部２２とを備えている。なお、胸部位置決め機構１００は、被検者保持部２２の一部を構成している。
【００１６】
旋回アーム１８は、下向きに開口する略コ字状に形成されており、一方の下端部側面にはＸ線照射部２４が設けられており、このＸ線照射部２４に対向する他方の下端部側面にはＸ線検出部２６が設けられている。また、旋回アーム１８は、保持フレーム１６に対して回転するとともにその回転軸が水平移動するようになっている。旋回アーム１８は、パノラマ撮影時は回転および水平移動して撮影を行い、ＣＴ撮影時は回転して撮影を行う。もちろん、本実施例のＸ線撮影装置１０では、耳鼻科用一般撮影も行うことができる。
【００１７】
次に、被検者保持部２２について説明する。図２は、被検者保持部２２を示す拡大斜視図である。被検者保持部２２は、Ｘ線撮影を受ける被検者を保持することによって正確な位置でＸ線撮影を実施できるようにするものである。本実施例において、被検者保持部２２は、被検者の頭部を保持する頭部保持手段２８と、複合部材１０２とで構成されている。
【００１８】
頭部保持手段２８は、被検者の頭部を直接的に保持する頭部保持部材３０および被検者の顎が載置される顎載置部材３２で構成されている。
【００１９】
なお、本明細書では、図２に示すように、頭部保持手段２８に被検者の頭部と固定したときに当該被検者が向く方向を「前」方向、その逆を「後」方向、被検者の右手側を「右」方向、左手側を「左」方向、さらに、Ｘ線撮影装置１０を設置した床面から離れていく方向を「上」方向、近づいていく方向を「下」方向という。また、昇降本体１４側から見た頭部保持手段２８を「正面」といい、逆に被検者側から見た頭部保持手段２８を「背面」という。
【００２０】
（胸部位置決め機構１００の構成）
次に、胸部位置決め機構１００の構成について、図２に加えて、図３および図４を用いて説明する。図３は、被検者保持部２２を示す右側面図である。また、図４は、被検者保持部２２を示す平面図である。本実施例の胸部位置決め機構１００は、複合部材１０２に設けられている。この複合部材１０２は、被検者によって把持される一対のグリップ３４と、胸部位置決め部１０３と、グリップ支持部１０４とで構成されている。
【００２１】
本実施例では、左右一対の複合部材１０２が使用されている。各複合部材１０２は略円柱状の部材を「へ」字状に曲げた形状を有しており、その曲がり部から一方端までが胸部位置決め機構１００を構成する胸部位置決め部１０３となっており、逆に、その曲がり部から他方端までがグリップ３４になっている。なお、グリップ３４は、曲がり部から他方端にかけて徐々に縮径していくテーパー形状となっている。
【００２２】
グリップ支持部１０４は、複合部材１０２（より正確には胸部位置決め部１０３）の側面から略水平に外側に向けて突き出すように形成されている。
【００２３】
一対の複合部材１０２は、被検者フレーム２０の先端部における左右側方にそれぞれ配置されている。より具体的には、複合部材１０２から突き出すように形成されたグリップ支持部１０４が被検者フレーム２０の先端部における両側面に当たるようにして、各複合部材１０２が被検者フレーム２０に取り付けられている。
【００２４】
また、複合部材１０２は、曲がり部が最も高い位置になり、胸部位置決め部１０３の先端に向けてゆるやかに下がっていくように位置決めされている。同様に、複合部材１０２の曲がり部が最も高い位置になり、グリップ３４の先端に向けて下がっていくようになっている。なお、本実施例の複合部材１０２では、胸部位置決め部１０３の下がり具合の方が、グリップ３４の下がり具合よりも緩やかになっている。
【００２５】
また、本実施例では、各複合部材１０２の曲がり部の上面に、頭部保持部材３０を所定の高さで保持する頭部保持部材用支柱１０６の下端が当たるようにして取り付けられている。一対の複合部材１０２にそれぞれ頭部保持部材用支柱１０６が取り付けられていることから、本実施例の頭部保持部材３０は、一対の頭部保持部材用支柱１０６で保持されていることになる。
【００２６】
胸部位置決め部１０３は上述のように略円柱形状になっており、また、その先端部において急に縮径した形状となっている。これにより、胸部位置決め部１０３の先端部は半球に近い「角部」のない形状になっており、当該先端部を被検者の胸部にあてがった際、被検者が違和感や痛みを感じにくいようになっている。
【００２７】
（胸部位置決め機構１００の使用方法）
次に、本実施例の胸部位置決め機構１００の使用方法について、図３から図６を用いて説明する。図５は、被検者をＸ線撮影する際の右側面図である。また、図６は、被検者をＸ線撮影する際の平面図である。Ｘ線撮影を行う際、被検者は、頭部保持手段２８の顎載置部材３２上に顎を載せるとともに、頭部保持部材３０によって側頭部を保持固定される。このとき、両胸部位置決め部１０３の先端が被検者の胸部に当たるようにすることで、被検者は自身の頭部だけでなく上体も正しい位置（被検者フレーム２０に正対する正しい方向）にすることができる。
【００２８】
これにより、従来であれば被検者の頭部のみを保持してＸ線撮影を行っていたが、本実施例のＸ線撮影装置１０によれば、頭部の位置だけでなく、被検者の上体も正しい方向に位置決めできるので、よりブレが少なく診断しやすいＸ線撮影を行うことができる。
【００２９】
（変形例１）
上述した実施例において、胸部位置決め機構１００を構成する胸部位置決め部１０３は２箇所設けられていたが、１台のＸ線撮影装置１０に設けられる胸部位置決め部１０３の数はこれに限定されるものではなく、例えば、被検者の上体の左右方向中心にあてがわれる胸部位置決め部１０３を１箇所だけ設けてもよいし、逆に、３箇所以上の胸部位置決め部１０３を設けてもよい。
【００３０】
（変形例２）
また、上述した実施例において、胸部位置決め部１０３は略円柱状に形成されていたが、胸部位置決め部１０３の形状はこれに限定されるものではなく、例えば、四角柱状や三角柱状などの角柱状に形成してもよい。
【００３１】
（変形例３）
さらに、上述した実施例において、胸部位置決め部１０３は、複合部材１０２としてグリップ３４と一体的に構成されていたが、これに代えて、胸部位置決め部１０３をグリップ３４とは別部材として構成してもよい。また、被検者フレーム２０の側方にグリップ支持部１０４を介して配置するのではなく、被検者フレーム２０に対して直接に胸部位置決め部１０３を設けてもよい。
【００３２】
（変形例４）
上述した頭部保持手段２８は、頭部保持部材３０あるいは顎載置部材３２の少なくともいずれか一方を有していればよく、また、グリップ３４も必須の構成ではない。頭部保持部材３０、顎載置部材３２、およびグリップ３４のいずれを使用するかは、Ｘ線撮影装置１０による撮影方法（ＣＴ撮影、パノラマ撮影、あるいは耳鼻科用一般撮影など）に応じて選択されるべきものである。
【００３３】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００３４】
１０…Ｘ線撮影装置、１２…ベース、１３…支柱、１４…昇降本体、１６…保持フレーム、１８…旋回アーム、２０…被検者フレーム、２２…被検者保持部材、２４…Ｘ線照射部、２６…Ｘ線検出部、２８…頭部保持手段、３０…頭部保持部材、３２…顎載置部材、３４…グリップ
１００…胸部位置決め機構、１０２…複合部材、１０３…胸部位置決め部、１０４…グリップ支持部、１０６…頭部保持部材用支柱
【図１】
2018007921.tif 000003
【図２】
2018007921.tif 000004
【図３】
2018007921.tif 000005
【図４】
2018007921.tif 000006
【図５】
2018007921.tif 000007
【図６】
2018007921.tif 000008